(57)【要約】【課題】車両に設置されたデバイスでは測定できない情報も考慮して情報を提供する。【解決手段】情報提供車載装置が、車両に乗車している乗員を認識する乗員認識部と、  前記認識した乗員からの許可を得た場合に、該許可を得た乗員に対応する個人情報を個人情報データベースから取得する個人情報取得部と、前記取得した個人情報に基づいた提供情報を前記乗員に対して提供する情報提供部と、を備える。【選択図】図１
2018155570.tif 000002
【特許請求の範囲】
【請求項１】
車両に乗車している乗員を認識する乗員認識部と、
前記認識した乗員からの許可を得た場合に、該許可を得た乗員に対応する個人情報を個人情報データベースから取得する個人情報取得部と、
前記取得した個人情報に基づいた提供情報を前記乗員に対して提供する情報提供部と、
を備える情報提供車載装置。
【請求項２】
前記取得した個人情報と、前記乗員とを対応付けて格納する格納部を更に備え、
前記情報提供部は、前記車両に前記乗員が再度乗車した場合に、前記再度乗車した乗員に対応する個人情報を前記格納部から取得して、該格納部から取得した個人情報に基づいた提供情報を前記再度乗車した乗員に提供する請求項１に記載の情報提供車載装置。
【請求項３】
前記情報提供部は、前記乗員が複数人の場合には該複数人の乗員の個人情報に基づいて該複数人の乗員の関係性を特定し、特定した関係性に応じて前記提供する提供情報を選択する請求項１又は２に記載の情報提供車載装置。
【請求項４】
前記情報提供部は、前記乗員が着席している座席の位置に応じて前記提供する提供情報を選択する請求項１から３までの何れか１項に記載の情報提供車載装置。
【請求項５】
前記情報提供部が提供する提供情報は、目的地を推薦する情報である請求項１から４までの何れか１項に記載の情報提供車載装置。
【請求項６】
前記情報提供部が提供する提供情報は、静止画、動画及び音の何れか又はこれらの組合せからなるコンテンツである請求項１から５までの何れか１項に記載の情報提供車載装置。
【請求項７】
データベース作成装置と、請求項１から６までの何れか１項に記載の情報提供車載装置と、を備えた情報提供システムであって、
前記データベース作成装置は、前記乗員となり得るユーザの個人情報を収集することにより前記個人情報データベースを作成し、
前記情報提供車載装置が備える前記個人情報取得部は、前記乗員に対応する個人情報を、前記データベース作成装置が作成した個人情報データベースから取得する、
情報提供システム。
【請求項８】
個人情報取得装置を更に備え、
前記個人情報取得装置は、前記乗員となり得るユーザの行動に関する情報を取得し、該取得したユーザの行動に関する情報を前記乗員となり得るユーザの個人情報として前記データベース作成装置に送信し、
前記データベース作成装置は、前記個人情報取得装置から受信した個人情報を収集することにより前記個人情報データベースを作成する、
請求項７に記載の情報提供システム。
【請求項９】
提供情報車載装置としてコンピュータを機能させるための情報提供プログラムであって、
車両に乗車している乗員を認識する乗員認識部と、
前記認識した乗員からの許可が得られた場合に、前記乗員に対応する個人情報を個人情報データベースから取得する個人情報取得部と、
前記取得した個人情報に基づいた提供情報を前記乗員に対して提供する情報提供部と、
を備える情報提供車載装置として前記コンピュータを機能させる情報提供プログラム。
【発明の詳細な説明】
【技術分野】
【０００１】
本発明は、乗員に情報を提供するための、情報提供車載装置、情報提供システム、及び情報提供プログラムに関する。
【背景技術】
【０００２】
従来、車両で移動するユーザ（以下、「乗員」と呼ぶ。）に対して、多様な情報を提供する車載装置が知られている。ここで、多様な情報とは、例えば音楽や動画といったコンテンツや、お勧めの目的地についての情報である。
このような車載装置において、画一的に情報を提供するのではなく、乗員に応じた情報を提供することができると、乗員をより満足させることが可能となる。この点、車載装置において乗員に応じた情報を提供するための技術の一例が特許文献１に開示されている。
【０００３】
特許文献１に開示の技術では、車両内に設置された、顔カメラ、着座センサ、及び血圧センサ等のデバイスによる測定によって乗員の状態を検出し、その検出結果から乗員が最も望む（あるいは望むと思われる）形態で車載装置の動作を自律的に制御すること、が開示されている。例えば、乗員の体調や精神状態に応じて、カーオーディオシステムにて出力する楽曲の選曲内容を変化させることが開示されている。
【先行技術文献】
【特許文献】
【０００４】
【特許文献１】特開２００８−０８５９４５号公報
【発明の概要】
【発明が解決しようとする課題】
【０００５】
特許文献１に開示の技術等の一般的な技術では、上述したように、車両に設置されたデバイスの測定結果から検出したユーザの状態に基づいて情報を提供する。
しかしながら、これは車両に設置されたデバイスの測定結果に基づくものに過ぎず、車両に設置されたデバイスでは測定できない情報については考慮されていなかった。そのため、乗員それぞれについて、適切な情報が提供できない場合もあり得た。
【０００６】
本発明は、このような問題に鑑みてなされたものであり、車両に設置されたデバイスでは測定できない情報も考慮して情報を提供する、情報提供車載装置、情報提供システム、及び情報提供プログラムを提供することを目的とする。
【課題を解決するための手段】
【０００７】
（１）  本発明の情報提供車載装置（例えば、後述の情報提供車載装置３０）は、車両に乗車している乗員を認識する乗員認識部（例えば、後述の乗員認識部３１１）と、前記認識した乗員からの許可を得た場合に、該許可を得た乗員に対応する個人情報を個人情報データベースから取得する個人情報取得部（例えば、後述の通信部３１２、許可部３１３）と、前記取得した個人情報に基づいた提供情報を前記乗員に対して提供する情報提供部（例えば、後述の情報提供部３１４）と、を備える。
【０００８】
（２）  上記（１）に記載の情報提供車載装置を、前記取得した個人情報と、前記乗員とを対応付けて格納する格納部（例えば、後述の格納部３１５）を更に備え、前記情報提供部は、前記車両に前記乗員が再度乗車した場合に、前記再度乗車した乗員に対応する個人情報を前記格納部から取得して、該格納部から取得した個人情報に基づいた提供情報を前記再度乗車した乗員に提供する情報提供車載装置としてもよい。
【０００９】
（３）  上記（１）又は（２）に記載の情報提供車載装置を、前記情報提供部は、前記乗員が複数人の場合には該複数人の乗員の個人情報に基づいて該複数人の乗員の関係性を特定し、特定した関係性に応じて前記提供する提供情報を選択する情報提供車載装置としてもよい。
【００１０】
（４）  上記（１）から（３）までの何れかに記載の情報提供車載装置を、前記情報提供部は、前記乗員が着席している座席の位置に応じて前記提供する提供情報を選択する情報提供車載装置としてもよい。
【００１１】
（５）  上記（１）から（４）までの何れかに記載の情報提供車載装置を、前記情報提供部が提供する提供情報は、目的地を推薦する情報である情報提供車載装置としてもよい。
【００１２】
（６）  上記（１）から（５）までの何れかに記載の情報提供車載装置を、前記情報提供部が提供する提供情報は、静止画、動画及び音の何れか又はこれらの組合せからなるコンテンツである情報提供車載装置としてもよい。
【００１３】
（７）  本発明の情報提供システム（例えば、後述の情報提供システム１）は、データベース作成装置（例えば、後述のデータベース作成装置２０）と、上記（１）から（６）までの何れかに記載の情報提供車載装置と、を備えた情報提供システムであって、前記データベース作成装置は、前記乗員となり得るユーザの個人情報を収集することにより前記個人情報データベースを作成し、前記情報提供車載装置が備える前記個人情報取得部は、前記乗員に対応する個人情報を、前記データベース作成装置が作成した個人情報データベースから取得する。
【００１４】
（８）  上記（７）に記載の情報提供システムを、個人情報取得装置（例えば、後述の個人情報取得装置１０）を更に備え、前記個人情報取得装置は、前記乗員となり得るユーザの行動に関する情報を取得し、該取得したユーザの行動に関する情報を前記乗員となり得るユーザの個人情報として前記データベース作成装置に送信し、前記データベース作成装置は、前記個人情報取得装置から受信した個人情報を収集することにより前記個人情報データベースを作成するようにしてもよい。
【００１５】
（９）  本発明の情報提供プログラムは、提供情報車載装置（例えば、後述の情報提供車載装置３０）としてコンピュータを機能させるための情報提供プログラムであって、車両に乗車している乗員を認識する乗員認識部（例えば、後述の乗員認識部３１１）と、前記認識した乗員からの許可が得られた場合に、前記乗員に対応する個人情報を個人情報データベースから取得する個人情報取得部（例えば、後述の通信部３１２、許可部３１３）と、前記取得した個人情報に基づいた提供情報を前記乗員に対して提供する情報提供部（例えば、後述の情報提供部３１４）と、を備える情報提供車載装置として前記コンピュータを機能させる。
【発明の効果】
【００１６】
本発明によれば、車両に設置されたデバイスでは測定できない情報も考慮して情報を提供することが可能となる。
【図面の簡単な説明】
【００１７】
【図１】本発明の実施形態全体の基本的構成を示す図である。
【図２】本発明の実施形態における個人情報取得装置の機能ブロックを示すブロック図である。
【図３】本発明の実施形態におけるデータベース作成装置の機能ブロックを示すブロック図である。
【図４】本発明の実施形態において作成される個人情報データベース一例を示すテーブル図である。
【図５】本発明の実施形態における情報提供車載装置の機能ブロックを示すブロック図である。
【図６】本発明の実施形態における車両と、乗員及び情報提供車載装置の関係を示すイメージ図である。
【図７】本発明の実施形態の個人情報データベース作成時の基本的動作を示すフローチャートである。
【図８】本発明の実施形態の個人情報に基づいた提供情報の提供時の基本的動作を示すフローチャートである。
【発明を実施するための形態】
【００１８】
＜本発明の実施形態の概略＞
まず、本発明の実施形態の概略を説明する。本発明の実施形態は、車載カメラ等により車両に乗車している乗員を認識し、認識した乗員からの許可が得られた場合に、乗員に対応する個人情報を個人情報データベースから取得する。ここで、個人情報は、例えば乗員の日々の行動に関する情報であり、車両に設置されたデバイスでは測定できない情報を含む情報である。
そして、本実施形態では、取得した個人情報に基づいた情報を前記乗員に対して提供する。これにより、本実施形態では、例えば乗員の日々の行動に関する情報等の、車両に設置されたデバイスでは測定できない情報も考慮して情報を提供することが可能となる。
以上が本発明の実施形態の概略である。
【００１９】
次に、本発明の実施形態について図面を参照して詳細に説明する。
＜実施形態全体の構成＞
図１に示すように、情報提供システム１は、複数の個人情報取得装置１０と、データベース作成装置２０と、情報提供車載装置３０と、クラウドネットワーク４０と、複数のユーザ５０と、車両６０とを含んで構成される。
【００２０】
複数の個人情報取得装置１０は、複数のユーザ５０それぞれについての個人情報を取得する装置である。複数の個人情報取得装置１０が取得した個人情報は、クラウドネットワーク４０上に設けられたデータベース作成装置２０に対して送信される。
ここで、個人情報取得装置１０は、様々な装置により実現されて、様々な態様でユーザ５０により利用される。
図中では、一例として、スマートフォン等の携帯端末により個人情報取得装置１０ａを実現して、この個人情報取得装置１０ａにより、ユーザ５０ｃの父親であるユーザ５０ａの個人情報を取得する場合を例示する。また、他の例として、家庭の電気機器等により個人情報取得装置１０ｂを実現して、この個人情報取得装置１０ｂにより、家族（ユーザ５０ｃの父であるユーザ５０ａ、ユーザ５０ｃの母であるユーザ５０ｂ、及び子であるユーザ５０ｃ）それぞれの個人情報を取得する場合を例示する。更に、他の例として、家庭の電気機器等により個人情報取得装置１０ｃを実現して、この個人情報取得装置１０ｃにより、祖父母（ユーザ５０ｃの父祖であるユーザ５０ｄ、及びユーザ５０ｃの祖母であるユーザ５０ｄ）それぞれの個人情報を取得する場合を例示する。なお、これらの使用態様は、あくまで一例に過ぎず、本実施形態における使用態様を限定するものではない。
【００２１】
クラウドネットワーク４０は、本実施形態における各装置間で通信を行うためのネットワークであり、その通信方式等に特に制限はない。クラウドネットワーク４０は、例えば、インターネットや携帯電話網、ＬＡＮ（Local Area Network）といったネットワークや、これらを組合せたネットワークにより実現される。
【００２２】
データベース作成装置２０は、複数の個人情報取得装置１０が送信する個人情報を収集して、個人情報のデータベースを作成する装置である。
【００２３】
情報提供車載装置３０は、車両６０に車載されてユーザ５０に利用される機器であり、車両６０の乗員であるユーザ５０に対して多様な情報を提供する。なお、図１では、車両６０のみを図示し、車両６０にユーザ５０が乗車する点については図示を省略している。車両６０にユーザ５０が乗車する点については、図６を参照して後述する。なお、以下の説明おいて、情報提供車載装置３０が車両６０の乗員であるユーザ５０に対して提供する情報を、適宜「提供情報」と呼ぶ。
【００２４】
ここで、冒頭で述べたように、本実施形態では、提供情報をより個々の乗員に適したものとするために、情報提供車載装置３０が乗員に対応する個人情報をデータベース作成装置２０が生成した個人情報データベースから取得し、この個人情報に基づいて乗員に応じて提供情報の内容を選択する。
【００２５】
以上が本実施形態全体の構成である。次に、これら各装置が備える機能ブロックについて図２〜図４を参照して説明をする。
【００２６】
＜個人情報取得装置１０の機能ブロック＞
図２に示すように、個人情報取得装置１０は、個人情報取得部１１１と送信部１１２を含んで構成される。なお、複数の個人情報取得装置１０それぞれの機能は、個人情報を取得して送信するという点で共通しているので、図２では個人情報取得装置１０を区別せず、符号の末尾のアルファベットを省略して説明をする。
【００２７】
個人情報取得部１１１は、個人情報取得装置１０を利用するユーザ５０の個人情報を取得する部分である。例えば個人情報取得装置１０を、図１の個人情報取得装置１０ａのようにスマートフォンやウェアラブル端末により実現する場合、取得する個人情報は、ユーザ５０の移動経路や通ったお店、店舗における商品の購入履歴、生活パターンを示す情報、のような情報である。この場合には、個人情報取得部１１１は、ＧＰＳ（Global Positioning System）センサや加速度センサ等の各種のセンサや、地図情報を利用するアプリケーションソフトウェアや、電子マネーを管理するアプリケーションソフトウェアにより実現される。
【００２８】
また、例えば個人情報取得装置１０を、図１の個人情報取得装置１０ｂや個人情報取得装置１０ｃのように家電等の電子機器で蓄積された情報を収集する機能をもった通信機（例えば、ゲートウェイ装置）で実現する場合、取得する個人情報は、家電の使用履歴、電力の使用履歴、ＴＶやＤＶＤの閲覧履歴、インターネットの閲覧履歴、その他家の個人の活動履歴、各ユーザの関係性（例えば親子関係にある、友人関係にある、あるいは、親よりも子供優先の家族である等）、のような情報である。この場合には、個人情報取得部１１１は、家庭用の電気機器（いわゆる家電）や、住宅内に設置されたカメラや、インターネットを利用するためのパーソナルコンピュータや、家庭で利用されるエネルギーを管理するＨＥＭＳ（Home Energy Management System）により実現される。
【００２９】
個人情報取得部１１１は、取得した個人情報を、この個人情報に対応する個人（すなわちユーザ５０）を認識するための情報と共に送信部１２１に対して出力する。つまり、取得した個人情報が誰の個人情報であるか分かるようにして出力する。そして、送信部１２１は、個人情報取得部１１１が出力する個人情報と個人を認識するための情報を、クラウドネットワーク４０を介してデータベース作成装置２０に対して送信する。
【００３０】
なお、上述したこれら個人情報はあくまで例示であり、これら個人情報以外の情報を、個人情報として取得するようにしてもよい。例えば、ユーザ５０が、スマートフォンやパーソナルコンピュータを用いて利用するＦａｃｅｂｏｏｋ（登録商標）や、ｉｎｓｔｇｒａｍ（登録商標）等のＳＮＳ（Social Networking Service）における個人情報（例えば、ユーザ５０のプロフィールや、趣味や嗜好を表す情報）を取得し、データベース作成装置２０に対して送信するようにしてもよい。この場合には、これらＳＮＳサービスを提供するサーバ装置により、個人情報取得装置１０を実現するようにしてもよい。
【００３１】
＜データベース作成装置２０の機能ブロック＞
次に、図３に示すようにデータベース作成装置２０は、収集部２１１と、データベース作成部２１２と、送信部２１３とを含んで構成される。
収集部２１１は、各個人情報収集装置が送信する個人情報及び個人を認識するための情報を受信することにより、これらの情報を収集する。そして、収集部２１１は、収集した個人情報及び個人を認識するための情報をデータベース作成部２１２に出力する。
【００３２】
データベース作成部２１２は、収集部２１１が出力する個人情報及び個人を認識するための情報に基づいて個人情報データベースを作成する。個人情報データベースの一構成例について図４を参照して説明をする。
【００３３】
図４に示すように、個人情報データベースは、上述したようにして収集部２１１により収集された個人を認識するための「認識用情報」と、ユーザ５０から個人情報の使用許可を得るための「許可用情報」と、ユーザ５０から個人情報の使用許可が得られたか否かを表す「許可フラグ」と、上述したようにして収集部２１１により収集された「個人情報」とを属性として含む。そして、データベース作成部２１２は、それぞれの属性に対応する情報を、ユーザ５０それぞれ毎に組としてフィールドに格納することにより、個人情報データベースを作成する。
ここで、認識用情報及び許可用情報として用いる情報は、情報提供車載装置３０における情報提供処理の方法に応じて異なるので、この処理の説明の際に詳細に後述する。
【００３４】
データベース作成部２１２により作成された個人情報データベースは、情報提供車載装置３０により適宜利用される。そのために、データベース作成部２１２は、生成した個人情報データベースを送信部２１３に対して出力する。そして、送信部２１３は、個人情報データベースを情報提供車載装置３０に対して出力する。
【００３５】
＜情報提供車載装置３０の機能ブロック＞
次に図５に示すように情報提供車載装置３０は、乗員認識部３１１と、通信部３１２と、許可部３１３と、情報提供部３１４と、格納部３１５と、録画／録音部３１６とを含んで構成される。
【００３６】
また、図６に示すように車両６０には、ユーザ５０が乗員として乗車する。また、車両６０の例えば運転席及び助手席から操作可能な位置には情報提供車載装置３０が設置される。更に、車両６０の例えばバックミラーやフロントウィンドウ近辺には車両６０の内外を撮像するためのカメラ６１が設置される。更に、車両６０の例えば後部座席から参照可能な位置には、リアディスプレイ６２が設置される。これらカメラ６１や、リアディスプレイ６２は、情報提供車載装置３０と有線又は無線で接続されて、情報提供車載装置３０との間で相互に通信を行う。なお、これ以外にも例えば情報提供車載装置３０がクラウドネットワーク４０と接続するためのアンテナ等が車両６０に設置されていてもよい。
【００３７】
情報提供車載装置３０は、自動四輪車や自動二輪車といった車両６０に車載されて利用される装置により実現できる。例えば、車両６０に据え付けられたカーナビゲーション装置や、車両６０のダッシュボード等に簡易的に設置されたＰＮＤ（Portable Navigation Device）により情報提供車載装置３０を実現することができる。この場合、情報提供車載装置３０は、現在位置から目的地までの経路案内を行うためのカーナビゲーション機能を備えているとよい。なお、カーナビゲーション機能の詳細や、カーナビゲーション機能を実現するための地図情報等については、当業者にとってよく知られているので、その詳細な説明を省略する。
【００３８】
乗員認識部３１１は、乗員を認識するための機能を有する。
ここで、乗員の認識は例えば画像認識により行われる。この場合、乗員認識部３１１は、後述の通信部３１２を介してカメラ６１と通信することにより、車両６０の内部の乗員（例えば、図６に図示するユーザ５０ｂ及びユーザ５０ｃ）又は外部の乗員（例えば、図６に図示するユーザ５０ａ）を、一般的な画像認識技術により認識する。この場合、個人情報データベース内における認識用情報は、各ユーザ５０の顔等の特徴量のデータとなる。
【００３９】
そして、乗員認識部３１１は、カメラ６１が撮像した画像から乗員の顔等の特徴量を抽出する。次に、乗員認識部３１１は、取得した特徴量を後述の通信部３１２を介してデータベース作成装置２０に送信する。データベース作成装置２０は、乗員認識部３１１から送信された特徴量と、個人情報データベース内に認識用情報として格納されている各ユーザ５０の特徴量とを比較することにより、乗員認識部３１１から送信された特徴量に対応するユーザ５０（すなわち、乗員）が誰であるのかを認識する。そして、データベース作成装置２０は認識結果を乗員認識部３１１に送信する。以上の処理により、画像認識技術による乗員の認識が実現できる。なお、カメラ６１が撮像した画像を情報提供車載装置３０に送信するようにし、情報提供車載装置３０にて画像からの特徴量の抽出を行うようにしてもよい。
【００４０】
また、特徴量の比較は、情報提供車載装置３０において行ってもよい。つまり、個人情報データベース内に認識用情報として格納されている各ユーザ５０の特徴量を情報提供車載装置３０にダウンロードしておき、このダウンロードした特徴量と、カメラ６１が撮像した乗員の特徴量の比較を行うようにしてもよい。
【００４１】
更に、単位乗員を認識するのみならず、カメラ６１が撮像した画像から、乗員それぞれが着席している座席の位置も認識するようにしてもよい。例えば、運転席に父であるユーザ５０ａが着席しており、助手席に母であるユーザ５０ｂが着席しており、後部座席に子であるユーザ５０ｃが着席している、ということを認識するようにしてもよい。このようにすることにより、乗員が誰であるのかのみならず、乗員がそれぞれ何処に着席しているのか、ということも考慮して提供情報を提供することが可能となる。
【００４２】
また、他の方法により乗員を認識するようにしてもよい。例えば、個人情報取得装置１０を利用して乗員を認識するようにしてもよい。この場合、個人情報データベース内における認識用情報は、各ユーザ５０が利用する個人情報取得装置１０の識別情報となる。
そして、図６の例におけるユーザ５０ａが所持している個人情報取得装置１０ａと通信部３１２が通信を行うことにより、乗員認識部３１１が個人情報取得装置１０ａの識別情報を取得するようにする。例えば、Ｂｌｕｅｔｏｏｔｈ（登録商標）等の近距離通信に準拠してペアリングした際に、個人情報取得装置１０ａの識別情報を取得するようにする。そして、上述した画像認識における特徴量と同様にして、取得した個人情報取得装置１０ａの識別情報と、個人情報データベース内における認識用情報として格納されている各ユーザ５０が利用する個人情報取得装置１０の識別情報を比較することにより、乗員の認識が実現できる。
【００４３】
通信部３１２は、情報提供車載装置３０が通信を行うための部分である。通信部３１２は、例えば、情報提供車載装置３０が、クラウドネットワーク４０を介してデータベース作成装置２０と通信を行うためのモジュールや、個人情報取得装置１０と近距離通信を行うためのモジュールや、カメラ６１等と通信を行うためのモジュールにより実現される。
【００４４】
許可部３１３は、乗員に対して、乗員自身の個人情報を利用してよいか否かの許可を得るための部分である。許可を得る方法としては、例えば、指紋認証やパスワードによる認証が考えられる。この場合、個人情報データベース内における許可用情報は、各ユーザ５０に対応する指紋のデータやパスワードとなる。
そして、許可部３１３は、情報提供車載装置３０あるいは個人情報取得装置１０にて、「個人情報を利用してもよいですか？個人情報を利用してもよい場合には、指紋認証をして下さい。」あるいは「個人情報を利用してもよいですか？個人情報を利用してもよい場合には、パスワードを入力して下さい。」等の案内を表示させる共に、指紋認証やパスワードの入力を促す。
これにより、許可部３１３は、指紋のデータやパスワードを取得すると、上述した画像認識における比較と同様にして、取得した指紋のデータやパスワードと、個人情報データベース内における許可用情報として格納されている、乗員認識部３１１で認識した乗員に対応する対応する指紋のデータやパスワードを比較することにより、認証を行うことができる。そして、認証に成功した場合に、ユーザからの個人情報の利用許可が得られたと判定する。
【００４５】
この場合には、認証に成功した乗員について個人情報データベースの許可フラグを当初の「０：不許可」から「１：許可」とする。これにより、以後は再度の認証を行わなくても個人情報データベースを参照するのみで、許可を得ていることが分かる。ただし、このようにするのではなく、情報提供車載装置３０を利用する都度、毎回認証を行って乗員の許可を得るようにしてもよい。
【００４６】
また、例えば乗員認識部３１１が、個人情報取得装置１０の識別情報を利用して乗員を認識した場合に、更に顔認証に成功した場合に、許可が得られたと判定してもよい。更に、ユーザ５０が乗車する前に予め住居等で、個人情報の利用許可を行い、これにより予め個人情報データベースの許可フラグを「１：許可」としておいてもよい。
【００４７】
次に、情報提供部３１４は、個人情報の利用許可を得た乗員についての個人情報を、通信部３１２を介してデータベース作成装置２０に対して要求する。データベース作成装置２０は、個人情報データベースから利用許可を得た乗員についての個人情報を取得し、取得した個人情報を情報提供部３１４に対して送信する。なお、個人情報の利用許可を得た乗員についての個人情報は、データベース作成装置２０からだけではなく個人情報取得装置１０から情報提供車載装置３０に対して直接送信されてもよい。例えば、図６に示す例であれば、個人情報取得装置１０ａにより個人情報の利用許可を得ると共に、個人情報取得装置１０ａから情報提供車載装置３０に対して直接個人情報を送信するようにしてもよい。
【００４８】
情報提供部３１４は、この個人情報に基づいて、乗員に対してどのような提供情報を提供するのかを決定し、決定した提供情報を乗員に対して提供する。そのために、情報提供部３１４は提供情報として画像等を表示するディスプレイ（図示省略）や、音を出力するためのスピーカ（図示省略）等をハードウェア構成として備える。なお、提供情報は、例えばリアディスプレイ６２や、情報提供車載装置３０とペアリングをした個人情報取得装置１０等から提供されてもよい。
【００４９】
なお、提供する提供情報としては、情報提供車載装置３０にＣＤやＤＶＤ等の記録媒体を挿入し、これらの記録媒体から読み込んだ音声や動画のコンテンツデータを提供情報としてもよい。また、情報提供車載装置３０にテレビチューナー及びアンテナの機能を追加し、これにより受信したテレビ番組を提供情報としてもよい。
更に、提供情報を、後述の格納部３１５に格納された音楽や動画のコンテンツデータや、お勧めの場所のデータや、後述の録画／録音部３１６で録音や録画したデータ等に基づいて生成されてもよいし、これらのデータの組合せから生成してもよい。
どのような個人情報に基づいてどのような提供情報を提供するのかについては、先に格納部３１５及び録画／録音部３１６について説明した後に、説明する。
【００５０】
格納部３１５は、情報提供車載装置３０が利用する各種のデータが格納される記憶装置である。格納部３１５には、例えば、情報提供部３１４が、データベース作成装置２０の個人情報データベースから取得した利用許可を得た乗員についての個人情報が格納される。このようにすれば、情報提供車載装置３０を利用する都度、データベース作成装置２０から全ての個人情報を取得する必要がなくなる。また、格納部３１５には、他にも提供情報を生成するための、音楽や動画のコンテンツデータや、お勧めの場所のデータや、後述の録画／録音部３１６で録音や録画したデータが格納される。
【００５１】
録画／録音部３１６は、乗員の音声を録音したり、乗員の静止画や動画を録画したりする部分である。録音した音声データや、録画した静止画や動画のデータは、格納部３１５に格納され、例えば情報提供部３１４による提供情報の生成に利用される。また、この場合に、録音した音声データや、録画した静止画や動画のデータそのものではなく、これらのデータから抽出した音や画の特徴量を格納部３１５に格納するようにしてもよい。このように特徴量のみを格納することにすれば、データ量を削減することが可能となる。この特徴量は、例えば、上述した乗員の認識等の用途に利用することができる。
なお、録音は、情報提供車載装置３０の内部又は外部に備えるマイク（図示省略）を利用することにより行うことができる。録画は、例えばカメラ６１を利用することにより行うことができる。
【００５２】
＜提供情報の説明＞
次に、情報提供部３１４が提供する提供情報について説明をする。提供情報としては、個人情報に基づいて、例えば以下のような情報を提供情報として提供することが考えられる。
【００５３】
例えば、個人情報に含まれている、家庭で視聴していたＴＶやＤＶＤの情報に基づいた提供情報を提供することが考えられる。この場合、家庭で視聴していたＴＶやＤＶＤが鑑賞途中であれば、その続きを提供情報として提供することが考えられる。また、家庭で鑑賞していたＴＶやＤＶＤに関連する内容のリコメンド（お勧め）を行うようにしてもよい。
【００５４】
また、例えば、個人情報に含まれている、家庭で聞いていた音楽や、興味のある音楽の情報に基づいた提供情報を提供することが考えられる。この場合、これらの音楽のデータがあれば、これを再生するようにしてもよい。また、これらの音楽の再生のリコメンドをするようにしてもよい。
【００５５】
更に、上述したように、乗員それぞれが着席している座席の位置も認識するようにしている場合は、この座席の位置も考慮して、座席位置に応じた提供情報を提供したり、座席位置に応じたリコメンドをしたりするとよい。例えば、後部座席に、子であるユーザ５０ｃが着席している場合は、家庭で視聴していたアニメ番組の続きを提供情報として提供するようにするとよい。この場合、後部座席から見やすい位置に配置されているリアディスプレイ６２から、アニメ番組の続きを提供情報として提供するようにすると子であるユーザ５０ｃが見やすいので更によい。
また、他にも父であるユーザ５０ａ運転席、母であるユーザ５０ｂが助手席に座っているような場合に、運転をしておらず退屈しがちな、母であるユーザ５０ｂが退屈しないような提供情報を提供するようにするとよい。例えば、父である５０ａではなく、母である５０ｂの個人情報に基づいた提供情報を提供するようにするとよい。
【００５６】
更に、各乗員の個人情報に乗員の関係性が含まれている場合には、この関係性も考慮して、関係性に応じた提供情報を提供したり、関係性に応じたリコメンドをしたりするとよい。例えば、子供優先の家族という関係性であれば子であるユーザ５０ｃのコンテンツを提供情報として提供するようにするとよい。例えば、父である５０ａではなく、子である５０ｃの個人情報に基づいた提供情報を提供するようにするとよい。また、母優先の夫婦という関係性であれば母優先のコンテンツ提供するようにするとよい。例えば、父である５０ａではなく、母である５０ｂの個人情報に基づいた提供情報を提供するようにするとよい。
【００５７】
更に、提供情報として、目的地のリコメンド情報を提供するような場合に、家族の関係性に基づいて、乗員が夫婦二人のみと分かったならば、夫婦向きの飲食店を目的地としてリコメンドしたり、父である５０ａの個人情報に含まれる行動履歴に基づいて、父である５０ａが普段立ち寄る書店を目的地としてリコメンドしたりしてもよい。一方で、家族の関係性に基づいて、乗員に子供も含むと分かったならば、家族向きのファミリーレストランや遊園地を目的地としてリコメンドしたりしてもよい。また、乗員として、長期間乗車していなかった、祖父母であるユーザ５０ｄや５０が更に含まれるような場合には（すなわち、祖父母と久しぶりに会ったような場合には）、過去に祖父母と行った楽しい場所や、ルートを目的地としてリコメンドしてもよい。
【００５８】
更に、乗員が写っている思い出写真を提供情報として提供してもよい。この写真は個人情報に含まれる写真でもよいし、録画／録音部３１６により撮影したものでもよい。
【００５９】
更に、画像認識技術により、乗員の精神状態等が判定できる場合には、この判定結果も考慮して提供情報を提供してもよい。例えば、乗員の機嫌が悪いと判定でき、車内が険悪になっている場合等に過去のお出かけ時の写真を提供情報として提供するようにしてもよい。
【００６０】
＜各装置の実現＞
以上各装置（個人情報取得装置１０、データベース作成装置２０、及び情報提供車載装置３０）が備える機能ブロックについて説明した。これら各装置は、一般的な装置に本実施形態特有のソフトウェアを組み込むことにより実現できる。
【００６１】
より詳細に説明すると、これら各装置は、ＣＰＵ（Central Processing Unit）等の演算処理装置を備える。また、これら各装置は、各種のプログラムを格納したＨＤＤ（Hard Disk Drive）やＳＳＤ（Solid State Drive）等の補助記憶装置や、演算処理装置がプログラムを実行する上で一時的に必要とされるデータを格納するためのＲＡＭ（Random Access Memory）といった主記憶装置を備える。
【００６２】
また、これら各装置のそれぞれにおいて、演算処理装置が補助記憶装置から各種のプログラムを読み込み、読み込んだ各種のプログラムを主記憶装置に展開させながら、これら各種のプログラムに基づいた演算処理を行なう。
【００６３】
そして、この演算結果に基づいて、各装置のハードウェアを制御することにより、以下に述べる各機能ブロックを実現する。つまり、本実施形態は、ハードウェアとソフトウェアが協働することにより実現することができる。
【００６４】
なお、図示及び説明を省略したが、これら各装置は、液晶ディスプレイ又は有機エレクトロルミネッセンスパネル等からなる表示部や、表示部の表示面に重ねて設けられたタッチパネルや物理スイッチ等の入力装置や、スピーカやマイク等の一般的なユーザインタフェースを備えているものとする。
【００６５】
＜実施形態の動作＞
次に、図７及び図８のフローチャートを参照して、本実施形態の動作について説明をする。
まず、図７のフローチャートを参照して個人情報データベース作成時の処理について説明をする。
複数の個人情報取得装置１０は、複数のユーザ５０それぞれについての個人情報を取得する（ステップＳ１１）。そして、複数の個人情報取得装置１０は、取得した個人情報をデータベース作成装置２０に対して送信する。
次に、データベース作成装置２０は、複数の個人情報取得装置１０が送信する個人情報を受信することにより、個人情報を収集する（ステップＳ１２）。
更に、データベース作成装置２０は、収集した個人情報に基づいて、個人情報データベースを生成する（ステップＳ１３）。
これにて個人情報データベースは作成される。このステップＳ１１からステップＳ１３までの処理を繰り返し行うことにより、個人情報データベースの内容を、充実ささると共に更新すると、より適切な提供情報を提供できるのでよい。
【００６６】
次に、図８のフローチャートを参照して、提供情報の提供時の情報提供車載装置３０の動作について説明する。
まず、乗員認識部３１１により乗員を認識する（ステップＳ２１）。次に、許可部３１３は、通信部３１２を介してデータベース作成装置２０の個人情報データベース内の許可フラグを参照することにより、認識した乗員が、過去に個人情報の利用を許可している乗員であるか否かを判定する（ステップＳ２２）。
【００６７】
ここで、認識した乗員が個人情報の利用を許可している乗員であれば（ステップＳ２２にてＹｅｓ）、ステップＳ２３を行うことなく、ステップＳ２４に遷移する。一方で、認識した乗員が個人情報の利用を許可していない乗員であれば（ステップＳ２２にてＮｏ）、ステップＳ２３に遷移する。
【００６８】
ステップＳ２３にて、許可部３１３は、乗員に対して個人情報の利用の許可を促す。しかしながら、乗員からの個人情報の利用許可が得られない場合には（ステップＳ２３にてＮｏ）、個人情報に基づいた提供情報を提供することなく処理を終了する。なお、この場合に、個人情報に基づかない所定の情報を提供するようにしてもよい。
一方で、乗員からの個人情報の利用許可が得られた場合には（ステップＳ２３にてＹｅｓ）、ステップＳ２４に遷移する。
【００６９】
ステップＳ２４にて、情報提供部３１４は、乗員の個人情報に基づいて、提供情報の内容を決定する。そして、情報提供部３１４は、提供すると決定した提供情報を提供する（ステップＳ２５）。
【００７０】
以上説明した処理により、本実施形態では、取得した個人情報に基づいた情報を前記乗員に対して提供する。これにより、本実施形態では、例えば乗員の日々の行動に関する情報等の、車両に設置されたデバイスでは測定できない情報も考慮して情報を提供することが可能となる、という効果を奏する。
【００７１】
＜ハードウェア及びソフトウェアについて＞
なお、上記の情報提供システムに含まれる各機器のそれぞれは、ハードウェア、ソフトウェア又はこれらの組み合わせにより実現することができる。また、上記の情報提供システムに含まれる各機器のそれぞれが協働することにより行なわれるナビゲーション方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００７２】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７３】
上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００７４】
例えば、図５を参照して上述した説明では、情報提供端末装置３０を、車両６０に据え付けられたカーナビゲーション装置や、車両６０のダッシュボード等に簡易的に設置されたＰＮＤ（Portable Navigation Device）等の車載機器により情報提供車載装置３０を実現することができると説明した。
これを変形して、車載機器と携帯機器が連携することにより、情報提供端末装置３０を実現するようにしてもよい。この場合、車載機器と携帯機器間を、Ｗｉ−Ｆｉ、ＮＦＣ（Near Field Communication）、Ｂｌｕｅｔｏｏｔｈ（登録商標）といった規格に準拠した無線通信や、ＵＳＢ（Universal Serial Bus）ケーブル等を介した有線通信により情報送受信可能に接続する。
この状態で車載機器の操作によって、携帯機器を遠隔操作する。更に、携帯機器から音声や画像の情報を車載機器に送信する。
そして、車載機器で音声や画像の情報を受信して、車載機器の表示部にて受信した音声や画像の情報を再生したり表示したりすることが一つの例として考えられる。また、他の例として、車載機器で音声や画像の情報を受信して、車載機器の表示部にて受信した音声や画像の情報に更に、車載機器の情報と組み合わせて音声や画像の情報を再生したり表示したりすることも考えられる。
なお、このような構成における、上記音声や画像の情報が、上述した提供情報であってもよい。
【符号の説明】
【００７５】
１  情報提供システム
１０  個人情報取得装置
１１１  個人情報取得部
１１２  送信部
２０  データベース作成装置
２１１  収集部
２１２  データベース作成部
２１３  送信部
３０  情報提供車載装置
３１１  乗員認識部
３１２  通信部
３１３  許可部
３１４  情報提供部
３１５  格納部
３１６  録画／録音部
４０  クラウドネットワーク
５０  ユーザ
６０  車両
【図１】
2018155570.tif 000003
【図２】
2018155570.tif 000004
【図３】
2018155570.tif 000005
【図４】
2018155570.tif 000006
【図５】
2018155570.tif 000007
【図６】
2018155570.tif 000008
【図７】
2018155570.tif 000009
【図８】
2018155570.tif 000010